(57)【要約】      （修正有）【課題】着脱し易く、デザイン性にも優れた衣服を提供する。【解決手段】前身頃１０と、スライドファスナー３０と、前身頃１０に結合される後身頃とを備えた衣服１であって、前身頃１０は、ネックラインＬ１及びネックラインＬ１上の起点Ｐ１から上下方向に延びる切込みＳ１を有する。スライドファスナー３０は、切込みＳ１に沿って前身頃１０に取り付けられた務歯列３１と、務歯列３１に沿ってスライドすることにより、前身頃１０の切込みＳ１の両側を分離した開状態と、前身頃１０の切込みＳ１の両側を結合した閉状態とを切り替えるスライダー３２とを含む。務歯列３１は、閉状態において着用者の前方から見えないように前身頃１０に取り付けられている。スライダー３２の引き手３２Ａは、前身頃１０の表面側に配置される。前身頃１０の起点Ｐ１の周辺には、複数本の襞４１を有する襞飾りが形成されている。【選択図】図３
0003214944.tif 000002
【実用新案登録請求の範囲】
【請求項１】
着用者に着用される衣服であって、
ネックライン及び前記ネックライン上の起点から上下方向に延びる切込みを有する前身頃と、
前記切込みに沿って前記前身頃に取り付けられた務歯列と、前記務歯列に沿ってスライドすることにより、前記前身頃の前記切込みの両側を分離した開状態と、前記前身頃の前記切込みの両側を結合した閉状態とを切り替えるスライダーとを含むスライドファスナーと、
前記前身頃に結合される後身頃と
を備え、
前記務歯列は、前記閉状態において前記着用者の前方から見えないように前記前身頃に取り付けられており、
前記スライダーの引き手は、前記前身頃の表面側に配置され、
前記前身頃の前記起点の周辺には、複数本の襞を有する襞飾りが形成されている、
衣服。
【請求項２】
前記後身頃は、
裏後身頃と、
前記裏後身頃を外側から覆う表後身頃と、
を含み、
前記表後身頃には、前記着用者の後方から見て前記裏後身頃が部分的に見えるように、少なくとも前記着用者の腰よりも下の位置から下端まで延びるスリットが形成されている、
請求項１に記載の衣服。
【請求項３】
前記前身頃は、
裏前身頃と、
前記裏前身頃を外側から覆う表前身頃と、
を含み、
前記裏前身頃と前記裏後身頃とは、筒状に結合されている、
請求項２に記載の衣服。
【請求項４】
前記裏前身頃は、前記表前身頃、前記裏後身頃及び前記表後身頃よりも薄い生地から構成されている、
請求項３に記載の衣服。
【請求項５】
前記前身頃は、上下方向よりも左右方向の方がストレッチ性が高い、
請求項１から４のいずれかに記載の衣服。
【請求項６】
前記後身頃は、ストレッチ生地から構成されている、
請求項１から５のいずれかに記載の衣服。
【請求項７】
前記後身頃は、上下方向よりも左右方向の方がストレッチ性が高い、
請求項１から６のいずれかに記載の衣服。
【請求項８】
前記切込み及び前記スライドファスナーは、前記ネックラインの左右方向の略中央から下方に向かって延びている、
請求項１から７のいずれかに記載の衣服。
【請求項９】
ワンピース又はチュニックである、
請求項１から８のいずれかに記載の衣服。
【考案の詳細な説明】
【技術分野】
【０００１】
本考案は、衣服に関し、これに限定されないが、特に肥った体格の女性に適した衣服に関する。
【背景技術】
【０００２】
着脱を容易にするために、衣服にはしばしばスライドファスナー（以下、単にファスナーということがある）が取り付けられることがある。特にワンピースやチュニック等の長尺の衣服については、ファスナーがあると着脱が極めて容易となる。しかしながら、ファスナーは、衣服のデザイン性を損なう虞があるため、通常、衣服の後身頃や脇の下等の目立たない位置に取り付けられる。
【０００３】
ところで、特許文献１は、サイズ調整を目的として、ファスナーを設けずに、衿ぐりに絞り量を調整可能なギャザーを施した、衿ぐりの広さを調整可能な衣服を開示している。
【先行技術文献】
【特許文献】
【０００４】
【特許文献１】特開２０１７−１２５２８４号公報
【考案の概要】
【考案が解決しようとする課題】
【０００５】
上記のように、衣服に後ファスナーや横ファスナーを設けた場合、ファスナーに着用者の手が届きづらく、ファスナーの開け閉めが難しくなることがある。なお、この問題は、特に着用者が肥った体格をしている場合、顕著となり得る。よって、着脱のし易さだけを考慮するならば、前ファスナーが望ましいが、衣服の前面にファスナーが取り付けられていては、衣服のデザイン性が大きく損なわれ得る。
【０００６】
本考案は、着脱し易く、デザイン性にも優れた衣服を提供することを目的とする。
【課題を解決するための手段】
【０００７】
本考案の第１観点に係る衣服は、着用者に着用される衣服であって、前身頃と、スライドファスナーと、前記前身頃に結合される後身頃とを備える。前記前身頃は、ネックライン及び前記ネックライン上の起点から上下方向に延びる切込みを有する。前記スライドファスナーは、前記切込みに沿って前記前身頃に取り付けられた務歯列と、前記務歯列に沿ってスライドすることにより、前記前身頃の前記切込みの両側を分離した開状態と、前記前身頃の前記切込みの両側を結合した閉状態とを切り替えるスライダーとを含む。前記務歯列は、前記閉状態において前記着用者の前方から見えないように前記前身頃に取り付けられている。前記スライダーの引き手は、前記前身頃の表面側に配置される。前記前身頃の前記起点の周辺には、複数本の襞を有する襞飾りが形成されている。
【０００８】
本考案の第２観点に係る衣服は、第１観点に係る衣服であって、前記後身頃は、裏後身頃と、前記裏後身頃を外側から覆う表後身頃とを含む。前記表後身頃には、前記着用者の後方から見て前記裏後身頃が部分的に見えるように、少なくとも前記着用者の腰よりも下の位置から下端まで延びるスリットが形成されている。
【０００９】
本考案の第３観点に係る衣服は、第２観点に係る衣服であって、前記前身頃は、裏前身頃と、前記裏前身頃を外側から覆う表前身頃とを含む。前記裏前身頃と前記裏後身頃とは、筒状に結合されている。
【００１０】
本考案の第４観点に係る衣服は、第３観点に係る衣服であって、前記裏前身頃は、前記表前身頃、前記裏後身頃及び前記表後身頃よりも薄い生地から構成されている。
【００１１】
本考案の第５観点に係る衣服は、第１観点から第４観点のいずれかに係る衣服であって、前記前身頃は、上下方向よりも左右方向の方がストレッチ性が高い。
【００１２】
本考案の第６観点に係る衣服は、第１観点から第５観点のいずれかに係る衣服であって、前記後身頃は、ストレッチ生地から構成されている。
【００１３】
本考案の第７観点に係る衣服は、第１観点から第６観点のいずれかに係る衣服であって、前記後身頃は、上下方向よりも左右方向の方がストレッチ性が高い。
【００１４】
本考案の第８観点に係る衣服は、第１観点から第７観点のいずれかに係る衣服であって、前記切込み及び前記スライドファスナーは、前記ネックラインの左右方向の略中央から下方に向かって延びている。
【００１５】
本考案の第９観点に係る衣服は、第１観点から第８観点のいずれかに係る衣服であって、ワンピース又はチュニックである。
【考案の効果】
【００１６】
本考案によれば、前身頃のネックライン上の起点から上下方向に延びる切込みに沿ってスライドファスナーが設けられるため、衣服の着脱が容易となる。また、このような前ファスナーが取り付けられる前身頃の切込みの起点の周辺には、複数本の襞を有する襞飾りが形成される。襞飾りとは、例えば、タック、ギャザー、プリーツ、ドレープ等の装飾である。よって、前ファスナーのスライダーの引き手は、前身頃の表面側に配置されるものの、襞飾りによる立体的な装飾により目立たなくなる。つまり、見る者に、前ファスナーの存在が意識されにくくなり、前ファスナーが、衣服のデザイン性を損なうことが抑制される。以上より、着脱し易く、デザイン性にも優れた衣服が提供される。
【図面の簡単な説明】
【００１７】
【図１】一実施形態に係る衣服の正面図。
【図２】一実施形態に係る衣服の背面図。
【図３】一実施形態に係る衣服の前ファスナーの開状態を示す正面図。
【図４】一実施形態に係る衣服の右表後身頃を部分的に裏返した状態を示す背面図。
【図５】一実施形態に係る衣服の衿周りの拡大正面図。
【図６】一実施形態に係る衣服の前ファスナーを少し開いた状態の衿周りの拡大正面図。
【考案を実施するための形態】
【００１８】
以下、図面を参照しつつ、本考案の一実施形態に係る衣服について説明する。
＜１．全体構成＞
図１に、本実施形態に係る衣服１の正面図を示し、図２に衣服１の背面図を示す。ただし、後述する装飾具５０は、図１においては取り外されている。これらの図に示すように、本実施形態の衣服１は、女性用のノースリーブタイプのワンピースであり（以下、衣服１を、ワンピース１と呼ぶことがある）、前身頃１０と、前身頃１０に結合されている後身頃２０とを有する。前身頃１０の衿周りには、スライドファスナー３０（以下、前ファスナー３０と呼ぶことがある）が取り付けられている。なお、特に断らない限り、本実施形態でいう衣服１の上下、左右及び前後は、衣服１が着用者に着用された状態を基準に定義される。
【００１９】
前ファスナー３０は、ネックラインＬ１上の左右方向の略中央の位置を起点Ｐ１として上下方向に平行（略平行な場合を含む。特に断らない限り、「平行」との表現を用いるとき、以下、同様）に延びている。図１は、前ファスナー３０が完全に閉じられた状態（以下、閉状態ということがある）を示しており、図３は、前ファスナー３０を最大開いた状態（以下、開状態ということがある）を示している。図３に示すように、ワンピース１は、前ファスナー３０を開くことで衿周りの空間が広がるように構成されているため、着用者は、前ファスナー３０を開くことでワンピース１を容易に着脱することができる。着用者は、ワンピース１の下端の空間から頭を通すことで、ワンピース１を被るようにして着用することもできるし、場合によっては、前ファスナー３０を開くことで広げられた衿周りの空間に脚を通した後、ワンピース１を引き上げるようにして着用することもできる。また、前ファスナー３０は、その名前のとおり、前身頃１０に取り付けられている。そのため、着用者は衣服１に身体を通した状態で、手で前ファスナー３０を容易に操作することができ、衣服１を着脱し易くなっている。このような特性から、ワンピース１は、肥った体格の女性にも着脱が容易である。
【００２０】
＜２．各部の詳細＞
以下、ワンピース１の各部の構造について、より詳細に説明する。
【００２１】
＜２−１．前身頃＞
図３に示すように、前身頃１０は、裏前身頃１１と、裏前身頃１１を外側から覆う表前身頃１２とを有する二枚仕立てに構成されている。表前身頃１２は、着用者による着用時に着用者の前方外側から見える表地である。一方、裏前身頃１１は、着用者による着用時に外側からは見えない裏地である。前身頃１０は、ネック周りの部位に相当する前見返し１３をさらに有し、裏前身頃１１は、前見返し１３の下部に縫製によりつなぎ合わされている。
【００２２】
前身頃１０を構成する表前身頃１２、裏前身頃１１及び前見返し１３の生地の種類は特に限定されないが、本実施形態では、全てストレッチ性の高いストレッチ生地から構成されている。よって、ワンピース１は、着心地に優れており、着用者が動き易い。また、これらの生地は、全て上下方向よりも左右方向の方がストレッチ性が高い。そのため、ワンピース１は、左右方向に伸びやすく、肥った体格の着用者の着用に特に適している。また、本実施形態の前見返し１３は、共地であり、表前身頃１２と同じ生地から構成されている。表前身頃１２及び前見返し１３は、例えば、ジョーゼット等のストレッチ織物から構成することができ、典型的には、合成繊維や絹、レーヨン等の糸から構成することができる。一方、裏前身頃１１も、典型的には、合成繊維や絹、レーヨン等の糸から構成することができる。裏前身頃１１は、表前身頃１２及び前見返し１３よりも薄い生地から構成することができ、表前身頃１２が透けるのを防いだり、肌触りを高めたりすることができる。
【００２３】
本実施形態の表前身頃１２は、着用者の身体の左前部分を覆う左表前身頃１２Ｌと、右前部分を覆う右表前身頃１２Ｒとをつなぎ合わせることにより形成される。これらの身頃１２Ｌ及び１２Ｒは、略左右対称の形状を有する。なお、本実施形態では、裏前身頃１１及び前見返し１３も、それぞれ略左右対称の形状を有し、左右に分断された生地を縫製によりつなぎ合わせることにより形成される。
【００２４】
左右の表前身頃１２Ｌ及び１２Ｒとのつなぎ目Ｌ２は、表前身頃１２の左右方向の略中央において上下方向に平行に延びている。つなぎ目Ｌ２は、前身頃１０の下端から着用者のお腹の辺りまでの部分については、左右の表前身頃１２Ｌ及び１２Ｒを縫製したときのつなぎ目により形成される。この縫製によるつなぎ目よりも上の部分には、スライドファスナー３０が取り付けられており、左右の表前身頃１２Ｌ及び１２Ｒは、スライドファスナー３０によりつなぎ合わせられる。つまり、前身頃１０には、ネックラインＬ１上の左右方向の略中央に位置する起点Ｐ１から下方に向かって着用者のお腹の辺りまで上下方向に平行に延びる切込みＳ１が形成されており、この切込みＳ１が、スライドファスナー３０により開閉される。
【００２５】
図５は、前身頃１０の切込みＳ１の起点Ｐ１の周辺の拡大図である。前身頃１０の切込みＳ１の起点Ｐ１の周辺には、複数本の襞４１を有する襞飾り４０が形成されている。本実施形態の襞飾り４０は、ネックラインＬ１に沿って形成される複数本のタックにより形成される。襞４１は、上下方向に延びており、より正確には、いわゆる丸首のネックラインＬ１から放射状に延びている。本実施形態では、切込みＳ１のラインに沿って左右に２本ずつ、切込みＳ１のラインと概ね平行に延びる襞４１が形成されている。
【００２６】
＜２−２．後身頃＞
図２及び図４に示すとおり、後身頃２０は、裏後身頃２１と、裏後身頃２１を外側から覆う表後身頃２２とを有する二枚仕立てに構成されている。また、表後身頃２２の左右方向の略中央には、背中の位置からワンピース１の下端まで延びるスリットＳ２が形成されている。後身頃２０は、ネック周りの部位に相当する後見返し２３（図３参照）をさらに有し、裏後身頃２１は、後見返し２３の下部に縫製によりつなぎ合されている。
【００２７】
スリットＳ２により左右に分離される左表後身頃２２Ｌと右表後身頃２２Ｒとは、着用者の体型に合わせて動くため、ワンピース１は、幅広い体型の着用者に対応することができる。また、ワンピース１は、左右の表後身頃２２Ｌ及び２２Ｒにより、着用者のヒップラインが隠れ易いデザインとなっており、着用者の体型が目立ちにくい。そのため、着用者が肥った体格の女性である場合に、特にその体型をカバーすることができる。なお、本実施形態では、左右の表後身頃２２Ｌ及び２２ＲのスリットＳ２よりも上側の部分は、縫製によりつなぎ合わされている。
【００２８】
表後身頃２２は、着用者による着用時に着用者の後方外側から見える表地である。また、裏後身頃２１も、着用者による着用時に着用者の後方外側から表後身頃２２のスリットＳ２を介して部分的に見える表地である。このように表後身頃２２のスリットＳ２を介して裏後身頃２１が部分的に見える構造は、デザイン性にも優れている。また、太腿の辺りにスリットを有するデザインであっても、太腿は裏後身頃２１によりカバーされるため、着用者が恥ずかしい思いをすることがない。
【００２９】
後身頃２０を構成する表後身頃２２、裏後身頃２１及び後見返し２３の生地の種類は特に限定されないが、本実施形態では、全てストレッチ性の高いストレッチ生地から構成されている。よって、ワンピース１は、前身頃１０の同様のストレッチ性と合わさり、着心地に優れており、着用者が動き易い。また、これらの生地は、全て上下方向よりも左右方向の方がストレッチ性が高い。そのため、ワンピース１は、前身頃１０の同様のストレッチ性と合わさり、左右方向に伸びやすく、肥った体格の着用者の着用に特に適している。また、本実施形態の後見返し２３は共地であり、表後身頃２２及び裏後身頃２１と同じ生地から構成されている。表後身頃２２、裏後身頃２１及び後見返し２３は、例えば、ジョーゼット等のストレッチ織物から構成することができ、典型的には、合成繊維や絹、レーヨン等の糸から構成することができる。本実施形態では、表後身頃２２、裏後身頃２１及び後見返し２３は、表前身頃１２及び前見返し１３と同じ生地で構成されている。
【００３０】
また、図４に示されるように、裏前身頃１１と裏後身頃２１とは、左右の両端が縫製により上下方向につなぎ合わされ、それにより筒状に結合されている。また、表前身頃１２と表後身頃２２も、左右の両端が縫製により上下方向につなぎ合わされ、それにより筒状に結合されている。ただし、表前身頃１２及び表後身頃２２により形成される外側の筒は、裏前身頃１１及び裏後身頃２１により形成される内側の筒が見えるように、上述したスリットＳ２により開かれる。
【００３１】
＜２−３．スライドファスナー（前ファスナー）＞
次に、前ファスナー３０について説明する。前ファスナー３０は、前身頃１０の切込みＳ１に沿って、当該切込みＳ１の略全長に亘って取り付けられている。よって、前ファスナー３０は、ネックラインＬ１上の左右方向の略中央に位置する起点Ｐ１から着用者のお腹の辺りまで下方に向かって上下方向に平行に延びている。
【００３２】
図３に示すように、前ファスナー３０は、務歯列３１と、務歯列３１に沿ってスライドすることにより切込みＳ１を開閉するスライダー３２とを含む。図１及び図５に示すように、前ファスナー３０が完全に閉じられた閉状態では、前身頃１０の切込みＳ１の両側がその略全長に亘って結合される。一方、図３に示すように、前ファスナー３０が最大開いた開状態では、前身頃１０の切込みＳ１の両側がその略全長に亘って分離される。
【００３３】
務歯列３１は、左側の務歯列３１Ｌと、右側の務歯列３１Ｒとを有し、これらが対を為している。閉状態では、務歯列３１Ｌと務歯列３１Ｒとが互いに噛み合い、一体化され、開状態では、両者の噛み合いが解除され、二本の列に分離される。左側の務歯列３１Ｌは、前身頃１０の切込みＳ１の左側の縁に沿うように取り付けられており、右側の務歯列３１Ｒは、前身頃１０の切込みＳ１の右側の縁に沿うように取り付けられている。より正確には、務歯列３１Ｌ及び３１Ｒは、各々、細長いテープ３３に取り付けられており、これらのテープ３３を介して前身頃１０の切込みＳ１の左右の部位に結合される。本実施形態では、テープ３３は布地であり、前身頃１０の切込みＳ１の左右の部位に縫製によりつなぎ合わされる。なお、テープ３３は左右一対であるが、図３では、左側のテープ３３のみが見えている。
【００３４】
前ファスナー３０は、上記のとおり、衣服１の着脱を容易にする。一方で、前ファスナー３０が衣服１のデザイン性を阻害することがないように、務歯列３１は、閉状態において着用者の前方から見えないように前身頃１０に取り付けられる。本実施形態の前ファスナー３０は、閉状態において務歯列３１が外側から見て前身頃１０に隠れる、所謂「コンシールファスナー」である。また、務歯列３１の他、テープ３３、及びスライダー３２の一部も、外側から見て前身頃１０に隠れる。一方で、スライダー３２の引き手３２Ａは、前身頃１０の表面側に配置される。
【００３５】
よって、スライダー３２の引き手３２Ａは、着用者の前方から見えるものの、引き手３２Ａが配置される前身頃１０の衿周りには、襞飾り４０が形成されている。襞飾り４０を構成する多数の襞４１は、前身頃１０の衿周りの部位を立体的に装飾し、引き手３２Ａの存在を目立たなくする。つまり、見る者に、前ファスナー３０の存在が意識されにくくなり、前ファスナー３０が、衣服１のデザイン性を損なうことが抑制される。よって、衣服１は、前ファスナー３０により、着脱し易く、優れたデザイン性を発揮する。また、肥った体格の女性の場合に当てはまり易いが、着用者は、前ファスナーの衣服であることを他人に知られることを嫌がる傾向にある。この点、以上の目立たない前ファスナー３０は、着用者のこのような心理にも配慮することができる。
【００３６】
＜２−４．装飾具＞
図５に示すように、前身頃１０の衿周りには、ビジューとも呼ばれる装飾具５０が取り付けられている。本実施形態の装飾具５０は、取り外し可能である。装飾具５０の装飾部５１の左右には、先端にナスカン５２の付いたチェーン５３が連結されている（図６参照）。左右の襞４１により形成されたポケットには、ループ４３が固定されており、このループ４３にナスカン５２を引っ掛けることで、図５に示すように装飾具５０を衿周りにセットすることができる。なお、図６では、左側のナスカン５２に接続されるループ４３が示されているが、装飾具５０を取り付けた図１の状態では、ループ４３は襞４１の裏側に隠れる。また、図６では、右側のナスカン５２のみがループ４３から外されているが、左右両方のナスカン５２をループ４３から外せば、図１に示すように、装飾具５０なしの衣服１とすることができる。よって、着用者は、ＴＰＯや気分に合わせて、装飾具５０を取り付けたり外したりすることができる。ただし、装飾具５０は、閉状態のスライダー３２の引き手３２Ａの近傍に取り付けられるため、装飾具５０を取り付けた場合には、引き手３２Ａがより目立たなくなり、見る者に前ファスナー３０をさらに意識させないようにすることができる。
【００３７】
＜３．変形例＞
以上、本考案の一実施形態について説明したが、本考案は上記実施形態に限定されるものではなく、その趣旨を逸脱しない限りにおいて、種々の変更が可能である。例えば、以下の変更が可能である。また、以下の変形例の要旨は、適宜組み合わせることができる。
【００３８】
＜３−１＞
上記実施形態では、衣服１は、ノースリーブタイプのワンピースとされたが、これに限られず、袖付きのワンピースであってもよいし、ワンピースでなくてもよい。ただし、衣服１の上述した様々な特徴は、ワンピースでなくとも、チュニック等の長尺の衣服に適用される場合に、その利点を特に発揮する。
【００３９】
＜３−２＞
上記実施形態では、襞飾り４０は、タックの形態とされたが、これに限られず、例えば、ギャザー、プリーツ、ドレープ等の装飾とすることができる。
【００４０】
＜３−３＞
上記実施形態では、切込みＳ１及びスライドファスナー３０は、上下方向に平行に延びていたが、例えば、上下方向のラインに対し傾いていてもよい。すなわち、切込みＳ１及びスライドファスナー３０等が「上下方向に延びる」とは、上下方向の成分を持って延びている状態を意味する。ただし、切込みＳ１及びスライドファスナー３０の延びる方向は、左右方向のラインよりも上下方向のラインに沿った成分の方が大きくなるように、上下方向のラインに対し４５°以下の角度で傾いていることが好ましい。
【符号の説明】
【００４１】
１  衣服（ワンピース）
１０  前身頃
１１  裏前身頃
１２  表前身頃
２０  後身頃
２１  裏後身頃
２２  表後身頃
３０  スライドファスナー（前ファスナー）
３１  務歯列
３２  スライダー
３２Ａ  引き手
Ｌ１  ネックライン
Ｐ１  起点
Ｓ１  切込み
Ｓ２  スリット
【図１】
0003214944.tif 000003
【図２】
0003214944.tif 000004
【図３】
0003214944.tif 000005
【図４】
0003214944.tif 000006
【図５】
0003214944.tif 000007
【図６】
0003214944.tif 000008